(57)【要約】【課題】構成が複雑になることを抑制しながら、冷却効率を向上させる。【解決手段】ステータ１４は、複数のスロット２５が形成されたステータコア２１と、複数のスロット２５に挿し通される複数のコイル２２と、を備える。ステータコア２１は、冷媒Ｆをスロット２５の外部に設けられる第２のコイルエンド２２ｂに向かって誘導するガイド部４１を拡径ヨーク部２３ａの外周面２３Ａ上に備える。回転電機は、ステータ１４と、ステータ１４の内側に配置されるロータと、少なくともヨーク部２３のガイド部４１に向かって冷媒Ｆを供給する冷媒供給部１５と、を備える。【選択図】図５
2019154123.tif 000002
【特許請求の範囲】
【請求項１】
複数のスロットが形成されたステータコアと、
前記複数のスロットに挿し通される複数のコイルと、
を備え、
前記ステータコアは、冷媒を前記スロットの外部に設けられる前記コイルの渡り部に向かって誘導するガイド部を外周部の表面上に備える、
ことを特徴とするステータ。
【請求項２】
前記ガイド部は、
前記外周部の表面上に設けられる溝部である、
ことを特徴とする請求項１に記載のステータ。
【請求項３】
前記溝部は、
前記外周部の径方向の厚みが相対的に増大された拡径部に設けられている、
ことを特徴とする請求項２に記載のステータ。
【請求項４】
前記ガイド部は、
前記外周部の表面上において前記渡り部に向かう複数の冷媒流路を備える、
ことを特徴とする請求項１から請求項３の何れか１項に記載のステータ。
【請求項５】
前記ガイド部は、
前記冷媒を貯留する貯留部を備える、
ことを特徴とする請求項１から請求項４の何れか１項に記載のステータ。
【請求項６】
請求項１から請求項５の何れか１項に記載のステータと、
前記ステータの内側に配置されるロータと、
少なくとも前記ステータコアの外周部に前記冷媒を供給する冷媒供給手段と、
を備える、
ことを特徴とする回転電機。
【発明の詳細な説明】
【技術分野】
【０００１】
本発明は、ステータ及び回転電機に関する。
【背景技術】
【０００２】
従来、電動機のステータに対して径方向の外周側に配置される冷媒管の吐出穴からコイルエンドに向かって冷媒を吐出して、コイル及び電動機を冷却する冷却構造が知られている（例えば、特許文献１参照）。
【先行技術文献】
【特許文献】
【０００３】
【特許文献１】特開２０１５−１１６１０１号公報
【発明の概要】
【発明が解決しようとする課題】
【０００４】
ところで、上記従来技術に係る冷却構造において、冷媒管は、内部における冷媒の流通状態（流通方向、流速など）及び吐出穴からの冷媒の吐出状態（吐出量の方向分布など）を調整するために、湾曲加工及び絞り加工などの煩雑な加工による複雑な構造に形成されている。つまり、上記従来技術においては、コイルエンドに冷媒を供給するために複雑な冷媒管を備える必要があるとともに、コイルエンドに対して冷媒の所望の吐出状態を確保するためには冷媒管の配置精度に対する要求も厳しくなるという問題が生じる。
【０００５】
本発明は上記事情に鑑みてなされたもので、構成が複雑になることを抑制しながら、冷却効率を向上させることが可能なステータ及び回転電機を提供することを目的とする。
【課題を解決するための手段】
【０００６】
上記課題を解決して係る目的を達成するために、本発明は以下の態様を採用した。
（１）本発明の一態様に係るステータ（例えば、実施形態でのステータ１４）は、複数のスロット（例えば、実施形態でのスロット２５）が形成されたステータコア（例えば、実施形態でのステータコア２１）と、前記複数のスロットに挿し通される複数のコイル（例えば、実施形態でのコイル２２）と、を備え、前記ステータコアは、冷媒（例えば、実施形態での冷媒Ｆ）を前記スロットの外部に設けられる前記コイルの渡り部（例えば、実施形態での第１及び第２のコイルエンド２２ａ，２２ｂ）に向かって誘導するガイド部（例えば、実施形態でのガイド部４１）を外周部（例えば、実施形態でのヨーク部２３）の表面（例えば、実施形態での外周面２３Ａ）上に備える。
【０００７】
（２）上記（１）に記載のステータでは、前記ガイド部は、前記外周部の表面上に設けられる溝部（例えば、実施形態での溝部４２）であってもよい。
【０００８】
（３）上記（２）に記載のステータでは、前記溝部は、前記外周部の径方向の厚みが相対的に増大された拡径部（例えば、実施形態での拡径ヨーク部２３ａ）に設けられてもよい。
【０００９】
（４）上記（１）から（３）の何れか１つに記載のステータでは、前記ガイド部は、前記外周部の表面上において前記渡り部に向かう複数の冷媒流路（例えば、実施形態での第１開放部４３ａ及び第２開放部４３ｂ）を備えてもよい。
【００１０】
（５）上記（１）から（４）の何れか１つに記載のステータでは、前記ガイド部は、
前記冷媒を貯留する貯留部（例えば、実施形態での貯留部４３）を備えてもよい。
【００１１】
（６）本発明の一態様に係る回転電機は、上記（１）から（５）の何れか１つに記載のステータ（例えば、実施形態でのステータ１４）と、前記ステータの内側に配置されるロータ（例えば、実施形態でのロータ１３）と、少なくとも前記ステータコアの外周部に前記冷媒を供給する冷媒供給手段（例えば、実施形態での冷媒供給部１５）と、を備える。
【発明の効果】
【００１２】
上記（１）によれば、ガイド部は重力によって移動する冷媒をステータコアの外周部からコイルの渡り部に的確に誘導することができ、ステータコア及びコイルを効率よく冷却することができる。
【００１３】
上記（２）の場合、溝部が形成された外周部によって冷媒をステータコアからコイルの渡り部に誘導することができるので、ステータコアに追加的な部材を備える必要無しに、構成が複雑になることを抑制しながら、冷却効率を向上させることができる。
【００１４】
上記（３）の場合、溝部はステータコアの拡径部に形成されるので、ステータコアの内部の磁路に対する干渉を抑制し、このステータを備える回転電機が出力するトルクの低下を防ぐことができる。
【００１５】
上記（４）の場合、コイルの渡り部における複数の部位を同時に冷却することができ、冷媒による冷却効率を向上させることができる。
【００１６】
上記（５）の場合、貯留部を備えることにより、コイルの渡り部に的確に冷媒を供給することができる
【００１７】
上記（６）によれば、冷媒供給手段は、ガイド部を備えるステータコアに効率よく冷媒を供給することができ、コイルの渡り部に対する冷媒による冷却性能を向上させることができる。
【図面の簡単な説明】
【００１８】
【図１】本発明の実施形態に係る回転電機の構成を模式的に示す断面図である。
【図２】本発明の実施形態に係る回転電機におけるステータの一部の構成を拡大して示す断面図である。
【図３】本発明の実施形態に係る回転電機におけるステータのセグメントコイルを示す斜視図である。
【図４】本発明の実施形態に係る回転電機における複数のセグメントコイルの接続例を示す図である。
【図５】本発明の実施形態に係る回転電機におけるステータの上部の構成を示す斜視図である。
【図６】本発明の実施形態の第１変形例に係る回転電機におけるステータの上部の構成を示す斜視図である。
【図７】本発明の実施形態の第２変形例に係る回転電機におけるステータの上部の構成を示す斜視図である。
【発明を実施するための形態】
【００１９】
以下、本発明の回転電機の一実施形態について添付図面を参照しながら説明する。
【００２０】
本実施形態による回転電機は、例えば、電動車両等の車両に搭載されている。電動車両は、電気自動車、ハイブリッド車両、及び燃料電池車両等である。電気自動車は、バッテリを動力源として駆動する。ハイブリッド車両は、バッテリ及び内燃機関を動力源として駆動する。燃料電池車両は、燃料電池を動力源として駆動する。回転電機は、駆動時にバッテリから供給される電力によって回転駆動力を発生させる。回転電機は、発電時に回転軸に入力される回転駆動力によって回生電力を発生させる。
【００２１】
図１は、本発明の実施形態に係る回転電機１０の構成を模式的に示す断面図である。
図１に示すように、本実施形態による回転電機１０は、ケース１１と、シャフト１２と、ロータ１３と、ステータ１４と、冷媒供給部１５と、を備えている。例えば、回転電機１０は、インナーロータ型であり、３相交流のブラシレスＤＣモータである。３相は、Ｕ相、Ｖ相、及びＷ相である。
ケース１１は、シャフト１２を中心軸Ｃの軸周りに回転可能に支持するとともに、ロータ１３、ステータ１４、及び冷媒供給部１５を内部に収容している。
シャフト１２は、ケース１１の内部においてロータ１３に取り付けられるとともに、ケース１１の外部において他の機器に接続されている。
ロータ１３は、シャフト１２に固定されるロータコアと、ロータコアに装着される界磁用の複数の永久磁石と、を備えている。
【００２２】
図２は、本発明の実施形態に係る回転電機１０におけるステータ１４の一部の構成を拡大して示す断面図である。ステータ１４は、ステータコア２１と、複数のコイル２２と、を備えている。
図２に示すように、ステータコア２１は、例えば、中心軸Ｃに平行な軸方向に積層される複数枚の電磁鋼板によって形成されている。ステータコア２１は、一体的に構成されるヨーク部２３及び複数のティース部２４を備えている。ヨーク部２３の外形は、円環状に形成されている。複数のティース部２４は、ヨーク部２３の内周面上における周方向に所定間隔を置いた位置から径方向内方に向かって突出している。周方向で隣り合う各２つのティース部２４の間には、コイル２２が挿し通されるスロット２５が形成されている。スロット２５は、いわゆるオープンスロットであり、軸方向にステータコア２１を貫通するとともに、径方向内方に向かって開放されている。
【００２３】
複数のコイル２２は、例えば、３相の各相において並列に接続される２つのコイル２２（例えば、Ｕ相における第１及び第２のコイル２２など）を備えている。各コイル２２は、直列的に接続される複数のセグメントコイル２６を備えている。
【００２４】
図３は、本発明の実施形態に係る回転電機１０におけるステータ１４のセグメントコイル２６を示す斜視図である。
図３に示すように、各セグメントコイル２６は、交互に積層される各２つの第１セグメント導体２７及び第２セグメント導体２８を備えている。第１セグメント導体２７及び第２セグメント導体２８の各々の外形は、相互にほぼ同一のＵ字形状と、Ｕ字形状の両端において相互に異なる方向に曲げられた湾曲形状と、に形成されている。
【００２５】
第１セグメント導体２７は、相互に異なる第１及び第２のスロット２５に挿入される第１挿入部２７ａ及び第２挿入部２７ｂと、第１挿入部２７ａ及び第２挿入部２７ｂの各々の第１の端部を接続する渡り部２７ｃと、第１挿入部２７ａ及び第２挿入部２７ｂの各々の第２の端部から相互に近づくように延びる第１接続部２７ｄ及び第２接続部２７ｅと、を備えている。
第２セグメント導体２８は、相互に異なる第１及び第２のスロット２５に挿入される第１挿入部２８ａ及び第２挿入部２８ｂと、第１挿入部２８ａ及び第２挿入部２８ｂの各々の第１の端部を接続する渡り部２８ｃと、第１挿入部２８ａ及び第２挿入部２８ｂの各々の第２の端部から相互に離れるように延びる第１接続部２８ｄ及び第２接続部２８ｅと、を備えている。
第１セグメント導体２７の第１挿入部２７ａ及び第２挿入部２７ｂ、並びに渡り部２７ｃの外形と、第２セグメント導体２８の第１挿入部２８ａ及び第２挿入部２８ｂ、並びに渡り部２８ｃの外形とは、ほぼ同一形状に形成されている。第１セグメント導体２７の第１接続部２７ｄ及び第２接続部２７ｅの外形と、第２セグメント導体２８の第１接続部２８ｄ及び第２接続部２８ｅとの外形とは、相互に異なる形状に形成されている。
【００２６】
１つのコイル２２を構成する複数のセグメントコイル２６は、各セグメントコイル２６が周方向に所定数（例えば、５つ）のスロット２５を挟んで配置される他のセグメントコイル２６と接続されることによって、直列的に接続されている。
【００２７】
図４は、本発明の実施形態に係る回転電機１０における複数のセグメントコイル２６の接続例を示す図である。
図４に示すように、例えば、第１セグメントコイル２６ａに対して、周方向の両側に所定数のスロット２５を置いて配置される第２及び第３セグメントコイル２６ｂ，２６ｃの場合、第１セグメントコイル２６ａの第１セグメント導体２７の第１接続部２７ｄは、第２セグメントコイル２６ｂの第２セグメント導体２８の第１接続部２８ｄに接続されている。第１セグメントコイル２６ａの第１セグメント導体２７の第２接続部２７ｅは、第３セグメントコイル２６ｃの第２セグメント導体２８の第２接続部２８ｅに接続されている。第１セグメントコイル２６ａの第２セグメント導体２８の第１接続部２８ｄは、第３セグメントコイル２６ｃの第１セグメント導体２７の第１接続部２７ｄに接続されている。第１セグメントコイル２６ａの第２セグメント導体２８の第２接続部２８ｅは、第２セグメントコイル２６ｂの第１セグメント導体２７の第２接続部２７ｅに接続されている。相互に接続される２つの第１接続部２７ｄ，２８ｄ同士、及び２つの第２接続部２７ｅ，２８ｅ同士は、径方向に隣接して配置されている。
【００２８】
図２に示すように、各スロット２５には、例えば、２つの異なるセグメントコイル２６における、第１のセグメントコイル２６の各２つの第１挿入部２７ａ及び第１挿入部２８ａと、第２のセグメントコイル２６の各２つの第２挿入部２７ｂ及び第２挿入部２８ｂとが、径方向に積層されるように配置されている。つまり、各スロット２５には、４つの第１セグメント導体２７及び４つの第２セグメント導体２８が、径方向に８つの層に整列するように配置されている。各スロット２５において、各２つの第１挿入部２７ａ及び第１挿入部２８ａは径方向の内周側に配置され、各２つの第２挿入部２７ｂ及び第２挿入部２８ｂは径方向の外周側に配置されている。
【００２９】
図５は、本発明の実施形態に係る回転電機１０におけるステータ１４の上部の構成を示す斜視図である。
図５に示すように、各セグメントコイル２６において、軸方向の第１方向側におけるスロット２５の外部に配置される渡り部２７ｃ，２８ｃは第１のコイルエンド２２ａを形成し、軸方向の第２方向側におけるスロット２５の外部に配置される第１接続部２７ｄ，２８ｄ及び第２接続部２７ｅ，２８ｅは第２のコイルエンド２２ｂを形成している。
【００３０】
各コイル２２の両端のうち第１端（例えば、コイル２２の第１端部に配置されるセグメントコイル２６の第２セグメント導体２８の第２接続部２８ｅなど）は、入出力用の接続端であり、各相の導電端子部材３１（例えば、Ｕ相、Ｖ相、及びＷ相の導電端子部材３１Ｕ，３１Ｖ，３１Ｗ）に接続されている。各コイル２２の両端のうち第２端（例えば、コイル２２の第２端部に配置されるセグメントコイル２６の第２セグメント導体２８の第２接続部２８ｅなど）は、Ｙ結線における中性点用の接続端であり、複数のコイル２２に対して共通の中性点導電部材３２に接続されている。
【００３１】
各コイル２２において、径方向に隣接せずに周方向に離れて配置されていながら相互に連結されるべき複数の連結端（例えば、コイル２２の第２端部及び第２端部周辺に配置される異なるセグメントコイル２６の第１セグメント導体２７の第２接続部２７ｅ同士など）が設けられている場合、各連結端は連結導電部材３３（例えば、Ｕ相、Ｖ相、及びＷ相の連結導電部材３３Ｕ，３３Ｖ，３３Ｗ）によって連結されている。
【００３２】
各相の導電端子部材３１、中性点導電部材３２、及び複数の連結導電部材３３の各々の外形は、例えば、板状に形成されている。各相の導電端子部材３１、中性点導電部材３２、及び複数の連結導電部材３３の各々は、例えば、銅板などである。各相の導電端子部材３１、中性点導電部材３２、及び複数の連結導電部材３３の各々は、例えば、ステータ１４の鉛直方向の上部における第２のコイルエンド２２ｂに配置され、厚さ方向をほぼ径方向と平行にするように配置されている。
各相の導電端子部材３１、中性点導電部材３２、及び複数の連結導電部材３３の各々において、径方向の外周側に向かう表面は、冷媒Ｆが滴下又は噴射される冷却面を成している。
【００３３】
ステータコア２１のヨーク部２３において、各相の導電端子部材３１、中性点導電部材３２、及び複数の連結導電部材３３の周辺の部位は、径方向の厚みが相対的に増大された拡径ヨーク部２３ａである。拡径ヨーク部２３ａは、例えば、ステータコア２１の鉛直方向の上部において周方向に所定間隔を置いてヨーク部２３から径方向の外方に突出するように設けられる１対の締結部２９，２９の間に設けられている。例えば、軸方向に貫通する締結孔２９ａが形成されている締結部２９は、締結孔２９ａに装着されるボルトなどの締結部材がケース１１に締結されることによって、ステータコア２１をケース１１に固定する。拡径ヨーク部２３ａの外周面２３Ａは、例えば、１対の締結部２９，２９の各外周側の先端よりも径方向内方に配置されている。
【００３４】
拡径ヨーク部２３ａの外周面２３Ａ上には、例えば、冷媒Ｆを第２のコイルエンド２２ｂに向かって誘導するガイド部４１が設けられている。ガイド部４１は、例えば、拡径ヨーク部２３ａの外周面２３Ａ上に設けられる溝部４２を備えている。
溝部４２は、例えば、周方向に延びるように形成されるとともに、中性点導電部材３２に対する径方向外方の位置において軸方向に向かって開放される開放部４２ａが形成されている。これにより、拡径ヨーク部２３ａの外周面２３Ａ上に供給された冷媒Ｆは溝部４２に滞留した後に開放部４２ａから中性点導電部材３２に向かって流れ落ちる。
【００３５】
冷媒供給部１５は、例えば、ケース１１に設けられ、ステータ１４に対して鉛直方向の上方に配置されている。冷媒供給部１５は、例えば、軸方向に延びる管状部材１５ａを備えている。管状部材１５ａの内部は、ケース１１に形成された冷媒流路（図示略）と通じており、ポンプ（図示略）によって冷媒流路を流通する冷媒Ｆが管状部材１５ａの内部に流入する。管状部材１５ａには、少なくともヨーク部２３のガイド部４１に臨むように開口する吐出孔（図示略）が形成されている。さらに、管状部材１５ａには、第１及び第２のコイルエンド２２ａ，２２ｂに臨むように開口する複数の吐出孔（図示略）が形成されている。管状部材１５ａの内部を流れる冷媒Ｆは、吐出孔からヨーク部２３のガイド部４１に向かって吐出される。冷媒Ｆは、例えば、ＡＴＦ（Ａｕｔｏｍａｔｉｃ  Ｔｒａｎｓｍｉｓｓｉｏｎ  Ｆｌｕｉｄ：自動変速機油）等の潤滑油である。
【００３６】
上述したように、本実施形態のステータ１４によれば、拡径ヨーク部２３ａの外周面２３Ａ上に設けられる溝部４２は、重力によって移動する冷媒Ｆを拡径ヨーク部２３ａから第２のコイルエンド２２ｂに的確に誘導することができ、ステータコア２１及びコイル２２を効率よく冷却することができる。
さらに、溝部４２は拡径ヨーク部２３ａに形成されているので、ヨーク部２３の内部の磁路に対する干渉を抑制し、回転電機１０が出力するトルクの低下を防ぐことができる。
また、例えば、ステータコア２１に追加的な部材を備える必要無しに、拡径ヨーク部２３ａに溝部４２を形成することができるので、重量の増大及び構成に要する費用の増大を抑制することができる。さらに、拡径ヨーク部２３ａの外周面２３Ａは、１対の締結部２９，２９の各外周側の先端よりも径方向内方に配置されているので、歩留まりの低下を防ぐことができる。
【００３７】
また、本実施形態の回転電機１０によれば、冷媒供給部１５は、溝部４２が形成された拡径ヨーク部２３ａに効率よく冷媒Ｆを供給することができ、冷媒Ｆによるステータ１４に対する冷却性能を向上させることができる。
【００３８】
以下、実施形態の変形例について説明する。
上述した実施形態において、溝部４２は拡径ヨーク部２３ａの外周面２３Ａ上に設けられるとしたが、これに限定されない。
【００３９】
図６は、本発明の実施形態の第１変形例に係る回転電機１０におけるステータ１４の上部の構成を示す斜視図である。
図６に示すように、第１変形例に係るステータコア２１において、１対の締結部２９，２９の間におけるヨーク部２３の径方向の厚みは、ヨーク部２３の他の部位における径方向の厚みと同一に形成されている。つまり第１変形例のヨーク部２３の径方向の厚みは、全周に亘って同一に形成されている。これにより第１変形例の溝部４２は、１対の締結部２９，２９の間におけるヨーク部２３の外周面２３Ａ上に形成されている。
この第１変形例によれば、拡径ヨーク部２３ａが設けられる実施形態に比べて、ステータコア２１の重量が増大することを防ぐことができる。
【００４０】
上述した実施形態及び第１変形例において、ガイド部４１は溝部４２を備えるとしたが、これに限定されない。
【００４１】
図７は、本発明の実施形態の第２変形例に係る回転電機１０におけるステータ１４の上部の構成を示す斜視図である。
図７に示すように、第２変形例に係るガイド部４１は、溝部４２に加えて冷媒Ｆを貯留する貯留部４３を備えてもよい。貯留部４３は、例えば、溝部４２から径方向内方に向かって一段深く形成された凹部などである。
【００４２】
さらに、ガイド部４１は、中性点導電部材３２に向かう単一の冷媒流路（つまり実施形態での開放部４２ａ）に限らず、複数の冷媒流路を備えてもよい。例えば、ガイド部４１の貯留部４３には、中性点導電部材３２における複数の異なる部位に対する径方向外方の位置において、軸方向に向かって開放される複数の開放部（第１開放部４３ａ及び第２開放部４３ｂなど）が形成されてもよい。
これらにより、拡径ヨーク部２３ａの外周面２３Ａ上に供給された冷媒Ｆは溝部４２から貯留部４３に流れ、貯留部４３に滞留した後に第１開放部４３ａ及び第２開放部４３ｂから中性点導電部材３２に向かって流れ落ちる。
【００４３】
この第２変形例によれば、複数の冷媒流路から中性点導電部材３２における複数の異なる部位に同時に冷媒Ｆを供給することができ、冷却効率を向上させることができる。また、複数の開放部（第１開放部４３ａ及び第２開放部４３ｂなど）の大きさを調整することによって、各冷媒流路の流量を調整することができるので、冷却対象部位の温度特性などに応じて、適正な冷却を行うことができる。
【００４４】
なお、上述した実施形態、第１変形例、及び第２変形例においては、中性点導電部材３２に冷媒Ｆを誘導するガイド部４１について説明したが、これに限定されず、各相の導電端子部材３１及び複数の連結導電部材３３の各々に、中性点導電部材３２と同様に、冷媒Ｆを誘導するガイド部４１が設けられてもよい。これにより、複数のコイル２２を効率よく冷却することができる。
【００４５】
なお、上述した実施形態において、ステータコア２１は、周方向に配列される複数の分割コアが順次に連結されることによって形成されてもよい。
なお、上述した実施形態において、コイル２２は、複数のセグメントコイル２６を備えるとしたが、これに限定されない。コイル２２は、他の形態の巻線であってもよい。
なお、上述した実施形態において、スロット２５は、径方向内方の端部が閉塞された、いわゆるクローズドスロットであってもよい。
なお、上述した実施形態において、回転電機１０は車両に搭載されるとしたが、これに限定されず、他の機器に搭載されてもよい。
【００４６】
本発明の実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１０…回転電機、１１…ケース、１２…シャフト、１３…ロータ、１４…ステータ、１５…冷媒供給部（冷媒供給手段）、２１…ステータコア、２２…コイル、２２ａ…第１のコイルエンド（渡り部）、２２ｂ…第２のコイルエンド（渡り部）、２３…ヨーク部（外周部）、２３ａ…拡径ヨーク部（拡径部）、２３Ａ…外周面（表面）、２４…ティース部、２５…スロット、２６…セグメントコイル、２７…第１セグメント導体、２７ｅ…第２接続部、２８…第２セグメント導体、２８ｅ…第２接続部、３１…導電端子部材、３２…中性点導電部材、３３…連結導電部材、４１…ガイド部、４２…溝部、４３…貯留部、４３ａ…第１開放部（冷媒流路）、４３ｂ…第２開放部（冷媒流路）、Ｆ…冷媒
【図１】
2019154123.tif 000003
【図２】
2019154123.tif 000004
【図３】
2019154123.tif 000005
【図４】
2019154123.tif 000006
【図５】
2019154123.tif 000007
【図６】
2019154123.tif 000008
【図７】
2019154123.tif 000009